(57)【要約】【課題】  前立腺患者が手術後の痛みと苦闘するとき、一時的な救いとして臀部を支える円形マットを利用しているが、移動時常に持ち歩く必要があったため、不便で、退院後は、完治するまで外出はできなかった。【解決手段】  本考案は、前立腺手術後の手術部およびその周辺の衣類や蒲団等での圧迫接触による痛みを取り去るため、手術部およびその周辺が圧迫接触しないよう、臀部受部中央に空間を施している特殊な形状をしたクッションであって、また退院後に車・電車・バス等の交通手段を利用する時も、下着感覚で身に付けて、その上にズボンをはいても、クッションの突起部は、全て緩やかな大きなカ−ブと傾斜をもたせ目立たなくするなど、前立腺患者に安心と安らぎを提供する。【選択図】    図１
0003119833.tif 000002
【実用新案登録請求の範囲】
【請求項１】
前立腺手術後の痛みを取り去るため、手術部とその周囲が衣類や蒲団等と圧迫接触しないよう、空間位置に成るように、臀部を支える特殊形状をしたクッションであって、寝るときだけでなく、退院後、車・電車・バス等での外出時の交通手段利用も下着感覚で身に付けて、その上にズボンをはいてもクッションの突起部に緩い大きなカ−ブと傾斜をもたせて、目立たないクッションであって、椅子等にも安心して腰掛けて移動が出来、腰掛けての腰や脚部の疲れを防止でき、手術後の回復が医師の予定通りに進む。また手術後の尿漏れを吸収するオシメおよびパットを付けての利用も可能であることを特徴とした、下着感覚無痛クッション。
【請求項２】
前記の特殊形状したクッションは、低反発材であって、そのカバ−は柔らかい素材で作成されていることを特徴とする請求項１に記載の下着感覚無痛クッション。
【請求項３】
前記クッションに、オシメおよびパットを付けるには、簡易着脱可能なテ−プをクッションカバ−の複数カ所に縫いつけられていることを特徴とする請求項１に記載の下着感覚無痛クッション。
【請求項４】
前記クッションは、すべて一体構造であるが、太股支えの形状は、傾斜形に設計され腰および太股の荷重を分散させることを特徴とする請求項１に記載の下着感覚無痛クッション
【請求項５】
前記クッションは、すべて一体構造であるが、臀部を支える本体箇所と太股を支える箇所の間に細い切り溝が施されているため、席を立ったり座ったりが自在にできることを特徴とする請求項１に記載の下着感覚無痛クッション。
【考案の詳細な説明】
【技術分野】
【０００１】  本考案は、前立腺手術後の手術部およびその周辺が、下着や蒲団等と圧迫接触しての痛み緩和に関するものである。
【背景技術】
【０００２】  上述したように手術後は、手術部およびその周辺は、どのような物と圧迫接触しても痛くて困るため、臀部を支える円形マットを利用して痛みを我慢し、外出も完治するまで控えていた。
【考案の開示】
【考案が解決しようとする課題】
【０００３】  従来の臀部を支える円形マットの利用範囲は、ベッドに静かに寝ているときか、どうしても外出移動が必要なときに、目立つ円形マットを持参して着席するか、持参しない場合は、移動手段時着席すると痛くて我慢できないため、立ったままの外出となり、手術後の体力がないとき非常に疲れ手術後の回復に課題がのこる。
【課題を解決するための手段】
【０００４】  本考案は、手術後ベッドで寝ているときや、退院後の行動範囲を広げるために、臀部を支え手術部とその周囲にオシメやパットが圧迫接触しないよう空間とする特殊形状を施している。【０００５】  また、下着感覚無痛クッションを着用し、ズボンをはいたときクッションの複数カ所にある突起部に緩い大きなカ−ブと傾斜をもたせて、着用が目立たないよう加工している。【０００６】  また、外出時利用する車・電車・バス等に乗車しても、着席したり立ったりが楽にできるよう、臀部を支える本体と太股を支える箇所の間に細い切り溝が施され、痛みのない自由な行動ができることにより、手術後の回復が医師の計画通りに遂行でき問題点を解決している。
【考案の効果】
【０００７】  上述の様に、本考案の下着感覚無痛クッションは、従来の円形マットより患者の利用範囲と移動範囲が広くなるうえ、手術後の痛みも大きく緩和し、前立腺患者に福音となる効果を有する。
【考案を実施するための最良の形態】
【０００８】  前立腺手術で入院時、手術後に発生する手術部とその周囲の痛みを抱えてベッドに寝ているとき、また退院後自宅での数ヶ月療養中、寝るときも手術部とその周囲が蒲団等に圧迫接触するときの痛みは強烈である。この痛みを取り去るため、手術部とその周囲が衣類や蒲団等で圧迫接触しないよう空間位置で臀部を支える、特殊な形状をしたクッション。【０００９】  また、退院後、車・電車・バス等の交通手段の利用も下着感覚で身に付けて、その上にズボンをはいてもクッションの突起部は、全て緩やかな大きいカ−ブと傾斜をもたせ目立たなくしてある。【００１０】  また、椅子等にも着席や立つことが自由にでき、痛くなく安心して腰掛けて移動が出来、術後の回復が医師の計画通りに進む。【００１１】  また、手術後の尿漏れを受けるオシメおよびパットを付けての利用が出来ることを特徴とした、下着感覚無痛クッション。
【実施例】
【００１２】  以下、添付図面に従って一実施例を説明する。図１は、下着感覚無痛クッションの第三角法に基づく全体図である。【００１３】  １の臀部受は、臀部を支える部分であって、オシメやパットを付けていても手術部とその周囲が圧迫接触しないよう中央部がカットされ、３の空間位置を確保している。【００１４】  ２の脚部受は、臀部受部分から脚部へ体重を分散させるため、一定距離の傾斜を持たせている。【００１５】  また、下着感覚無痛クッションを付けて、ズボンをはいても突起部に緩やかな大きでカ−ブと傾斜をもたせ、外見から目立たないようになっている。【００１６】  ４のカット部は、外出時の車・電車・バス等に乗車したとき、席に着席や立ち上がりが自由にできるように施されている。【００１７】  １および２は、底反発材質で一体構造作成である。【００１８】  本考案の一実施例は、上述の構成からなるものである。今までは前立腺での手術後が痛くて、治療方法で選択に迷いが生じ、手術実施が遅れ、後悔している患者があまりにも多く、本考案の誕生により今後手遅れ患者を一掃できる。
【図面の簡単な説明】
【００１９】
【図１】  本考案の、下着感覚無痛クッションの第三角法に基づく全体図である。
【符号の説明】
【００２０】    １  臀部受
２  脚部受
３  手術部およびその周囲が圧迫接触防止空間
４  細い切り溝
【図１】
0003119833.tif 000003
【手続補正書】
【提出日】平成17年12月6日(2005.12.6)
【手続補正１】
【補正対象書類名】実用新案登録請求の範囲
【補正対象項目名】全文
【補正方法】変更
【補正の内容】
【実用新案登録請求の範囲】
【請求項１】
前立腺手術後の痛みを取り去るため、手術部とその周囲が衣類や蒲団等と圧迫接触しないよう、空間位置に成るように、臀部を支える馬蹄形状を特徴としたクッション。
【請求項２】
退院後身に付けて、車・電車・バス等での外出時に、椅子等にも安心して腰掛けて移動が出来ることを特徴とする、請求項１に記載のクッション。
【請求項３】
前記クッションに、オシメおよびパットを付けるには、簡易着脱可能なテ−プをクッションカバ−の複数カ所に縫いつけられていることを特徴とする、請求項１に記載のクッション。
【請求項４】
前記クッションは、すべて一体構造であるが、身に付けた時クッションの突起部が目立たないよう緩やかで大きなカ−ブと傾斜を施したことを特徴とする、請求項１に記載のクッション
【請求項５】
前記クッションは、すべて一体構造であるが、臀部を支える本体箇所と太股を支える箇所の間に細い切り溝が施されているため、席を立ったり座ったりが自在にできることを特徴とする、請求項１に記載のクッション。
【手続補正２】
【補正対象書類名】明細書
【補正対象項目名】全文
【補正方法】変更
【補正の内容】
【考案の詳細な説明】
【技術分野】
【０００１】  本考案は、前立腺手術後の手術部およびその周辺が、下着や蒲団等と圧迫接触しての痛み緩和に関するものである。
【背景技術】
【０００２】  上述したように手術後は、手術部およびその周辺は、どのような物と圧迫接触しても痛くて困るため、臀部を支える円形マットを利用して痛みを我慢し、外出も完治するまで控えていた。
【考案の開示】
【考案が解決しようとする課題】
【０００３】  従来の臀部を支える円形マットの利用範囲は、ベッドに静かに寝ているときか、どうしても外出移動が必要なときに、目立つ円形マットを持参して着席するか、持参しない場合は、移動手段時着席すると痛くて我慢できないため、立ったままの外出となり、手術後の体力がないとき非常に疲れ手術後の回復に課題がのこる。
【課題を解決するための手段】
【０００４】  本考案は、手術後ベッドで寝ているときや、退院後の行動範囲を広げるために、臀部を支え手術部とその周囲にオシメやパットが圧迫接触しないよう空間とする馬蹄形状を施したクッション。【０００５】  クッションを着用し、ズボンをはいたときクッションの複数カ所にある突起部に緩い大きなカ−ブと傾斜をもたせて、着用が目立たないよう加工している。【０００６】  外出時利用する車・電車・バス等に乗車しても、着席したり立ったりが楽にできるよう、臀部を支える本体と太股を支える箇所の間に細い切り溝が施され、痛みのない自由な行動ができることにより、手術後の回復が医師の計画通りに遂行でき問題点を解決している。
【考案の効果】
【０００７】  上述の様に、本考案のクッションは、従来の円形マットより患者の利用範囲と移動範囲が広くなるうえ、手術後の痛みも大きく緩和し、前立腺患者に福音となる効果を有する。
【考案を実施するための最良の形態】
【０００８】  前立腺手術で入院時、手術後に発生する手術部とその周囲の痛みを抱えてベッドに寝ているとき、また退院後自宅での数ヶ月療養中、寝るときも手術部とその周囲が蒲団等に圧迫接触するときの痛みは強烈である。この痛みを取り去るため、手術部とその周囲が衣類や蒲団等で圧迫接触しないよう空間位置で臀部を支える、馬蹄形状をしたクッション。【０００９】  退院後、車・電車・バス等の交通手段の利用も下着感覚で身に付けて、その上にズボンをはいてもクッションの突起部は、全て緩やかで大きいカーブと傾斜をもたせ目立たなくしてある。【００１０】  椅子等にも着席や立つことが自由にでき、痛くなく安心して腰掛けて移動が出来、術後の回復が予定通りに進む。【００１１】  簡易着脱可能なテ−プをクッションカバ−の数箇所に縫いつけ、オシメおよびパットを簡単に付けて利用が出来ることを特徴としたクッション。
【実施例】
【００１２】  以下、添付図面に従って一実施例を説明する。図１は、クッションの第三角法に基づく全体図である。【００１３】  １の臀部受は、臀部を支える部分であって、オシメやパットを付けていても手術部とその周囲が圧迫接触しないよう中央部が馬蹄形にカットされ、３の空間位置を確保している。【００１４】  ２の脚部受は、臀部受部分から脚部へ体重を分散させるため、一定距離の傾斜を持たせている。【００１５】  クッションを付けて、ズボンをはいても突起部に緩やかで大きなカ−ブと傾斜をもたせ、外見から目立たないよう加工している。【００１６】  ４のカット部は、外出時の車・電車・バス等に乗車したとき、席に着席や立ち上がりが自由にできるように施されている。【００１７】  １および２は、底反発材質で一体構造作成である。【００１８】  本考案の一実施例は、上述の構成からなるものである。今までは前立腺での手術後が痛くて、治療方法で選択に迷いが生じ、手術実施が遅れ、後悔している患者があまりにも多く、本考案の誕生により今後手遅れ患者を一掃できる。
【図面の簡単な説明】
【００１９】
【図１】  本考案の、クッションの第三角法に基づく全体図である。
【符号の説明】
【００２０】  １  臀部受
２  脚部受
３  手術部およびその周囲が圧迫接触防止空間
４  細い切り溝
【手続補正３】
【補正対象書類名】図面
【補正対象項目名】図１
【補正方法】変更
【補正の内容】
【図１】
0003119833.tif 000004